(57)【要約】【課題】壁部に貫通状態に取り付けられ、浴槽外の給湯機に汎用的に配管接続させることのできる浴槽用給湯口アダプタを提供する。【解決手段】浴槽の側壁Ｗに貫通状態で取り付けられ、浴槽外の給湯機に配管接続される浴槽用給湯口アダプタ１００が、浴槽の側壁Ｗ内面側に取り付けられる雄ねじ部材２が螺合する外筒部１２と、前記浴槽と前記給湯機とを繋ぐ継手部材８が接続され、前記外筒部１２へと繋がる流路となる配管接続部１４（１４ａ，１４ｂ）と、を有する槽外取付部材を浴槽の側壁Ｗ外面側に備え、前記配管接続部１４（１４ａ，１４ｂ）は、接続された前記継手部材８（８ａ，８ｂ）が、前記槽外取付部材１の管軸に沿って少なくとも真っ直ぐ後方から略直角に曲がる方向との間で回動可能となるように設けられる。【選択図】図３
2014163654.tif 000002
【特許請求の範囲】
【請求項１】
浴槽の側壁に貫通状態で取り付けられ、浴槽外の給湯機に配管接続される浴槽用給湯口アダプタであって、
浴槽の側壁内面側に取り付けられる雄ねじ部材が螺合する外筒部と、
前記浴槽と前記給湯機とを繋ぐ配管が接続され、前記外筒部へと繋がる流路となる配管接続部と、を有する槽外取付部材を浴槽の側壁外面側に備え、
前記配管接続部は、接続された前記配管が、前記槽外取付部材の管軸に沿って少なくとも真っ直ぐ後方から略直角に曲がる方向との間で回動可能となるように設けられることを特徴とする浴槽用給湯口アダプタ。
【請求項２】
前記配管接続部は、前記配管の端部に接続された継手部材が嵌め込まれて連結される連結部と、前記継手部材の端部に設けられたフランジ部の面に当接する当接面を有するフランジ部と、を備え、
前記配管接続部及び前記継手部材の各フランジ部が当接した状態で、両フランジ部の外周にフランジ結合部材が取り付けられて結合され、前記両フランジ部が摺動して前記配管が回動可能となるように構成されることを特徴とする請求項１に記載の浴槽用給湯口アダプタ。
【請求項３】
前記配管接続部或いは前記継手部材のいずれか一方には、前記フランジ部よりも先端側に凸部が形成され、他方には、前記凸部が内嵌される凹部が先端側開口端部に形成され、
前記凸部の外周面に形成された環状溝と、
前記環状溝に装着され、前記凹部の内周面に圧接されるＯリングと、を備えることを特徴とする請求項２に記載の浴槽用給湯口アダプタ。
【請求項４】
前記フランジ結合部材は、クイックファスナーであることを特徴とする請求項２または３に記載の浴槽用給湯口アダプタ。
【発明の詳細な説明】
【技術分野】
【０００１】
本発明は、例えば、壁部に貫通状態に取り付けられ、浴槽外の給湯機に配管接続される浴槽用給湯口アダプタに関する。
【背景技術】
【０００２】
近年、浴槽の給湯システムでは、浴槽外に設置されている給湯機で沸かした温水を浴槽内に送る湯張り機能と、浴槽内の温水を吸い込んで給湯機に送り、給湯機で更に加熱して高温水として浴槽内に戻す追い焚き機能とを備えるものが多く普及している。
【０００３】
このような給湯システムでは、浴槽内との間の循環流路を形成するために、浴槽用給湯口アダプタが浴槽側壁に貫通状態で取り付けられる。
【０００４】
浴槽用給湯口アダプタは、所定の流路形成を行う流路形成部材（仕切部材）と、仕切部材を浴槽の側壁部内面側に取り付ける槽内取付部材（雄ねじ部材）と、浴槽側壁を挟んで雄ねじ部材と連結される槽外取付部材とを備えており、この槽外取付部材の外管接続部に給湯機に繋がる管が接続されるようになっている（特許文献１参照）。
【先行技術文献】
【特許文献】
【０００５】
【特許文献１】特開第２０１１−２２０６７７号公報
【発明の概要】
【発明が解決しようとする課題】
【０００６】
しかしながら、外管接続部は、例えば、槽外取付部材における外管接続部が槽外取付部材の管軸に沿って後端側から真っ直ぐ突出しているストレート形と、外接続部が槽外取付部材の管軸に対して後端から略直角に曲がった方向へ延びるＬ形との２種類の形状のものを、浴槽用給湯口アダプタの設置箇所と給湯機との位置関係に応じて使い分けなければならないため汎用的なものではなく、外管接続部の形状が１種類であっても設置箇所と給湯機との位置関係に関係なく取り付けられるものが望まれていた。
【課題を解決するための手段】
【０００７】
本発明は、例えば、壁部に貫通状態に取り付けられ、浴槽外の給湯機に汎用的に配管接続させることのできる浴槽用給湯口アダプタの提供を目的とする。
【０００８】
即ち、本発明は下記［１］〜［４］に記載の構成を有する。
【０００９】
［１］  浴槽の側壁に貫通状態で取り付けられ、浴槽外の給湯機に配管接続される浴槽用給湯口アダプタであって、
浴槽の側壁内面側に取り付けられる雄ねじ部材が螺合する外筒部と、
前記浴槽と前記給湯機とを繋ぐ配管が接続され、前記外筒部へと繋がる流路となる配管接続部と、を有する槽外取付部材を浴槽の側壁外面側に備え、
前記配管接続部は、接続された前記配管が、前記槽外取付部材の管軸に沿って少なくとも真っ直ぐ後方から略直角に曲がる方向との間で回動可能となるように設けられることを特徴とする浴槽用給湯口アダプタ。
【００１０】
［２］  前記配管接続部は、前記配管の端部に接続された継手部材が嵌め込まれて連結される連結部と、前記継手部材の端部に設けられたフランジ部の面に当接する当接面を有するフランジ部と、を備え、
前記配管接続部及び前記継手部材の各フランジ部が当接した状態で、両フランジ部の外周にフランジ結合部材が取り付けられて結合され、前記両フランジ部が摺動して前記配管が回動可能となるように構成されることを特徴とする前項１に記載の浴槽用給湯口アダプタ。
【００１１】
［３］  前記配管接続部或いは前記継手部材のいずれか一方には、前記フランジ部よりも先端側に凸部が形成され、他方には、前記凸部が内嵌される凹部が先端側開口端部に形成され、
前記凸部の外周面に形成された環状溝と、
前記環状溝に装着され、前記凹部の内周面に圧接されるＯリングと、を備えることを特徴とする前項２に記載の浴槽用給湯口アダプタ。
【００１２】
［４］  前記フランジ結合部材は、クイックファスナーであることを特徴とする前項２または３に記載の浴槽用給湯口アダプタ。
【発明の効果】
【００１３】
上記［１］に記載の発明によれば、浴槽の側壁に貫通状態で取り付けられ、浴槽外の給湯機に配管接続される浴槽用給湯口アダプタが、浴槽の側壁内面側に取り付けられる雄ねじ部材が螺合する外筒部と、浴槽と給湯機とを繋ぐ配管が接続され、外筒部へと繋がる流路となる配管接続部と、を有する槽外取付部材を浴槽の側壁外面側に備え、配管接続部は、接続された配管が、槽外取付部材の管軸に沿って少なくとも真っ直ぐ後方から略直角に曲がる方向との間で回動可能となるように設けられるので、槽外取付部材の管軸に沿って少なくとも真っ直ぐ後方から略直角に曲がる方向との間で回動可能になるように、配管が配管接続部に接続されることによって、浴槽と給湯機との位置関係に応じた浴槽用給湯口アダプタを準備しておく必要がなくなり、本発明品のみで様々な位置関係にある浴槽及び給湯機に用いることができ汎用的である。
【００１４】
また、配管が回動可能に構成されているので、例えば、介護用に用いられる機械式浴槽のように位置が移動する浴槽であっても、浴槽の移動に応じて配管が回動することにより浴槽の移動を妨げるなどすることがなく好適に用いることができる。
【００１５】
上記［２］に記載の発明によれば、配管接続部は、配管の端部に接続された継手部材が嵌め込まれて連結される連結部と、継手部材の端部に設けられたフランジ部の面に当接する当接面を有するフランジ部と、を備え、配管接続部及び配管の各フランジ面が当接した状態で、両フランジ部の外周にフランジ結合部材が取り付けられて結合され、前記両フランジ部が摺動して前記配管が回動可能となるように構成されるので、配管接続部及び配管を接続して、フランジ結合部材で両者を結合し、当接するフランジ部の面同士を摺動させるだけの単純な構造で、配管が回動可能となるように構成することができる。
【００１６】
また、配管接続部に配管が接続された継手部材を嵌め込み、フランジ連結部材を取り付けるだけで配管接続部及び配管を強固に結合させることができるので、浴槽と給湯機とを繋ぐ配管及び継手部材の接続作業が容易になる。
【００１７】
上記［３］に記載の発明によれば、配管接続部或いは継手部材のいずれか一方には、フランジ部よりも先端側に凸部が形成され、他方には、凸部が内嵌される凹部が先端側開口端部に形成され、凸部の外周面に形成された環状溝と、環状溝に装着され、凹部の内周面に圧接されるＯリングと、を備えるので、凸部が形成される配管接続部或いは継手部材の何れか一方が、凹部に嵌挿されることにより、凹部の内周面が圧接されて高い水密を図ることができる。
【００１８】
上記［４］に記載の発明によれば、フランジ結合部材は、クイックファスナーであるので、ネジなどの部材を用いて配管接続部及び配管を結合する場合と比較すると、両フランジ部の外周にクイックファスナーを嵌め込むだけの簡単な操作で配管接続部及び配管を結合することができる。
【図面の簡単な説明】
【００１９】
【図１】本発明に係る槽外取付部材を備える浴槽用給湯口アダプタの断面図である。
【図２】本発明に係る浴槽用給湯口アダプタの分解図である。
【図３】本発明に係る槽外取付部材の説明図である。
【図４】本発明に係る槽外取付部材を説明するための断面図である。
【図５】本発明に係る槽外取付部材に結合された配管の可動動作を説明するための説明図である。
【発明を実施するための形態】
【００２０】
以下、図面を参照して、本発明の実施形態について説明する。
【００２１】
図１は、槽外取付部材１を備える浴槽用給湯口アダプタ１００の断面図、図２は、浴槽用給湯口アダプタ１００の分解図、図３は、槽外取付部材１の説明図、図４は、槽外取付部材１を説明するための断面図、図５は、槽外取付部材に結合された配管の可動動作を説明するための説明図である。
【００２２】
図１，２に示す本発明の槽外取付部材１を備える浴槽用給湯口アダプタ１００は、浴槽の側壁Ｗに設けられた取付孔Ｈに組み付けられ、浴槽外に設置されている給湯機からの温水を浴槽内に供給する湯張り（貯湯）機能と、浴槽内の温水を給湯機に吸い込んで加熱した高温水を浴槽内に戻す追い焚き機能とを備えた浴槽給湯システムに適用するものであり、いわゆる無極タイプとして、給湯機に繋がる往き管と戻り管に対する接続が逆になっても同じ機能が得られるようになっている。
【００２３】
浴槽用給湯口アダプタ１００は、浴槽の内部と外部との間で所定流路を形成する仕切部材３と、仕切部材３を浴槽の側壁Ｗの内面側に取り付ける雄ねじ部材２と、浴槽の側壁Ｗの外面側に配備されて、雄ねじ部材２を浴槽に固定する槽外取付部材１と、フィルター部材４との主要部品の他に、雄ねじ部材２と槽外取付部材１の間に設けられた、槽外側のリング状パッキング５１、Ｏリング３６、槽内側のリング状パッキング５２及び仕切部材３の回り止め用のロックピン３５等の付属部品で構成されている。
【００２４】
尚、本明細書において、浴槽用給湯口アダプタ１００の軸心方向に沿って浴槽に対して内側（図１の左側）を「前側」または「正面側」とし、浴槽に対して外側（図１の右側）を「後側」または「裏面側」として説明する。
【００２５】
槽外取付部材１は、例えば黄銅やステンレスまたは合成樹脂（この例では、ポリアセタール樹脂等の硬質樹脂成形物）からなり、前面側が開放され、且つ後面側が閉塞された円筒形状の外筒部１２と、この外筒部１２の内部に同軸心上に配置される円筒形状の内筒部１１と、外筒部１２の前端外周に設けられた平板リング状のフランジ部１３と、外筒部１２の後部から両側方に突設するように設けられる管状の２つの配管接続部１４が一体に設けられている。
【００２６】
両配管接続部１４には、その端部に浴槽と給湯機とを繋ぐ配管８４及び配管８４の端部に接続された継手部材８が接続されるように構成されている。
【００２７】
内筒部１１の内部空間は、後述の内側流路の一部として構成されるとともに、内筒部１１及び外筒部１２間の環状空間は、後述の外側流路の一部として構成されている。
【００２８】
一方の配管接続部１４ａが外側流路Ｂに連通されるとともに、他方の配管接続部１４ｂが内側流路Ａに連通されている。
【００２９】
外筒部１２の内周面には、後述する雄ねじ部材２に組み付けるための雌ねじが刻設されている。
【００３０】
槽外取付部材１のフランジ部１３の外周縁部には、そのフランジ部１３と浴槽外壁面との間の水密を図るための合成樹脂製のリング状パッキング５１が取り付けられている。
【００３１】
雄ねじ部材２は、例えば、ポリアセラート樹脂等の硬質樹脂成形物からなり、両端が開放された筒状部２１の前端外周に平板リング状のフランジ部２２が一体形成されており、筒状部２１の外周面には、槽外取付部材１の雌ねじに螺合される雄ねじが刻設されている。
【００３２】
雄ねじ部材２は、槽外取付部材１のフランジ部１３が浴槽の側壁Ｗ外面（外壁面）の取付孔Ｈの周縁部に沿うように配置された状態で、合成ゴム製のリング状パッキング５２を介して浴槽内壁面の取付孔Ｈの周縁部に圧接される。
【００３３】
雄ねじ部材２の筒状部２１は、取付孔Ｈを通じて槽外取付部材１の外筒部１２に螺合されて固定される。
【００３４】
フランジ部２２の前面側には、仕切部材３に設けられるロックピン３５の先端に嵌合される多数の有底のロック孔２３が円周方向へ一定間隔毎に設けられている。
【００３５】
仕切部材３にはロックピン３５が挿入されるピン挿入孔３４が設けられており、仕切部材３のピン挿入孔３４にロックピン３５を強制的に圧入した際に、そのロックピン３５の先端部がロック孔２３の一つに嵌合し、これにより雄ねじ部材２に対して仕切部材３の回転変位が阻止されるようになっている。
【００３６】
これにより槽外取付部材１及び雄ねじ部材２のフランジ部１３，２２によって、浴槽側壁Ｗの取付孔Ｈ周縁部が挟持されて、浴槽の側壁Ｗに貫通状態に組みつけられる。
【００３７】
仕切部材３は、無極タイプとして流路を形成するものであり、例えば硬質合成樹脂で成型されてなり、軸心方向（前後方向）に延びる細長い円筒形状の円筒部３１と、円筒部３１の前端部に設けられた円盤状の円盤部３２とを有している。
【００３８】
円盤部３２の外周壁の下部両側には、複数、例えば２つの開口部３２１が形成されている。
【００３９】
円盤部３２は、内部に複数の流路が設けられる中空構造を有しており、外周を囲うようにして一帯に形成された外周壁と、外周壁の前面側開口の一部を閉塞する前板３３とを備えている。
【００４０】
円筒部３１は、円筒部３１の内部と、それに連通する槽外取付部材１の内筒部１１の内部とによって内側流路Ａが形成される。
【００４１】
更に、円筒部３１は、後述するように雄ねじ部材２の筒状部２１の内部に配置されるものであり、円筒部３１および筒状部２１間の環状空間と、それに連通する槽外取付部材１の内筒部１１および外筒部１２間の環状空間とによって、外側流路Ｂが形成される。
【００４２】
本実施形態では、円盤部３２に設けられた開口部３２１のうち何れか一方が吐出口として機能するとともに、残り一方が吸引口として機能する。
【００４３】
仕切部材３の中央上部には、ロックピン挿通用のピン挿入孔３４が形成されており、仕切部材３を雄ねじ部材２に取り付けた際に、ピン挿入孔３４に挿入された当該ロックピン３５によって、雄ねじ部材２に対して仕切部材３の回り止めが図られるようになっている。
【００４４】
以上の構成の仕切部材３は、浴槽側壁Ｗに組み付けられた雄ねじ部材２に、周知の取付手段によって着脱自在に組み付けられる。このとき、仕切部材３における円筒部３１が、雄ねじ部材２の内部に配置される槽外取付部材１の内筒部１１に挿入される。
【００４５】
この状態では、槽外取付部材１の内筒部１１と仕切部材３の円筒部３１との間にＯリング３６が配置され、このＯリング３６によって、内筒部１１及び円筒部３１間の水密が図られる。
【００４６】
また、仕切部材３の円盤部３２の後面に設けられたパッキング５３によって、仕切部材３の円盤部３２と雄ねじ部材２のフランジ部２２との間の水密が図られるようになっている。
【００４７】
フィルター部材４は、例えば硬質合成樹脂製の皿形の成形物からなり、下端部には、円盤部３２の開口部３２１に対応する開口部４２が設けられ、前面壁部には、多数の吸込孔４１が形成されており、仕切部材３の前面側に装着されるようになっている。
【００４８】
配管接続部１４は、配管８４の端部に接続された継手部材８が嵌め込まれて連結される連結部１６と、継手部材８の端部に設けられたフランジ部８１の面８１１（以下、「面８１１」或いは「フランジ面８１１」とも記す。）と当接する当接面１５１（以下、「面１５１」或いは「フランジ面１５１」とも記す。）を有するフランジ部１５と、を備えている。
【００４９】
具体的には、配管接続部１４は、例えば、槽外取付部材１の外筒部１２の軸心に対して直交する方向に突出した凸部からなる連結部１６（以降、「凸部１６」とも記す。）を有し、配管接続部１４の連結部１６が、継手部材８の端部に設けられた凹んだ形状に形成された凹部からなる連結部８２（以降、「凹部８２」とも記す。）に内嵌されることにより、雄側管である配管接続部１４及び雌側管である継手部材８及び配管８４が連結される。
【００５０】
配管接続部１４の先端側開口端部には、筒状の外周に平板リング状のフランジ部１５が一体に設けられており、継手部材８の先端側開口端部にも同様に外周面に平板リング状のフランジ部８１が一体形成されて設けられている。
【００５１】
配管接続部１４及び継手部材８は、配管接続部１４の先端側開口端部が継手部材８の先端側開口部内に嵌挿して連結される。
【００５２】
配管接続部１４には、フランジ部１５よりも先端側位置の外周面に環状溝１７が形成され、当該環状溝１７には、合成樹脂製のＯリング１８が装着される。
【００５３】
配管接続部１４の凸部１６には、それぞれ環状溝１７が形成されているので、Ｏリング１８を適正位置に速やかに装着することができる。
【００５４】
Ｏリング１８は、その外径が継手部材８の内径よりも若干大径となっているため、配管接続部１４の先端を継手部材８に嵌挿すると、配管接続部１４の外周に設けたＯリング１８が継手部材８の内周面に圧接されるようになっている。
【００５５】
配管接続部１４には、フランジ部１５よりも先端側に凸部１６が形成され、凸部の外周面に形成された環状溝１７と、環状溝１７に装着され、雌側管である継手部材８の凹部８２の内周面に圧接されるＯリング１８と、を備えるので、凸部１６が形成される配管接続部１４が、継手部材８の凹部８２に嵌挿されることにより、凹部８２の内周面が圧接されて高い水密を図ることができる。
【００５６】
継手部材８は、屈曲して形成され、図４に示すように、フランジ部８１とは反対側の端部側に挿入部８３が設けられ、継手部材８の挿入部８３が配管８４内に嵌入されることにより、継手部材８と配管８４とが接続されている。
【００５７】
雄側管のフランジ部１５と前記雌側管のフランジ部８１は、フランジ結合部材９によって結合される。
【００５８】
フランジ結合部材９には、例えば、ばね鋼などの弾性部材からなるクリップ状のクイックファスナー９が用いられる。
【００５９】
フランジ結合部材９は、配管接続部１４及び継手部材８の各フランジ部１５，８１の当接する各フランジ面１５１，８１１が重ね合わせられた状態で、配管接続部１４及び継手部材８の外周から突出したフランジ部１５，８１の外周に嵌め込まれることにより取り付けられる。
【００６０】
フランジ結合部材９は、両フランジ部１５，８１を径方向から弾性的に抱き込むとともに、管軸方向から配管接続部１４及び継手部材８を狭着するようになっている。
【００６１】
フランジ結合部材９がクイックファスナーであるので、ネジなどの部材を用いて配管接続部１４及び継手部材８を結合する場合と比較すると、両フランジ部１５，８１の外周にクイックファスナー９を嵌め込むだけの簡単な操作で配管接続部１４及び継手部材８を結合することができる。
【００６２】
配管接続部１４及び継手部材８のそれぞれのフランジ部１５，８１の当接したフランジ面同士１５１，８１１が摺接するようにフランジ結合部材９が取り付けられて結合されることにより、継手部材８は、両フランジ部１５，８１が摺動して継手部材８が回動可能となるように構成される。
【００６３】
以降、浴槽及び給湯機を繋ぐ継手部材８（８ａ，８ｂ）の配管接続部１４（１４ａ，１４ｂ）への接続方法について説明する。
【００６４】
まず、配管接続部１４ａ，１４ｂと継手部材８ａ，８ｂとの連結を行う前に、配管接続部１４の凸部１６ａ，１６ｂの基端側に形成された環状溝１７ａ，１７ｂに、Ｏリング１８ａ，１８ｂをそれぞれ嵌め込む。
【００６５】
Ｏリング１８ａ，１８ｂが装着された配管接続部１４ａ，１４ｂの凸部１６ａ，１６ｂを、継手部材８ａ，８ｂの凹部８２に嵌め込んで、配管接続部１４ａ，１４ｂ及び継手部材８ａ，８ｂを連結させる。
【００６６】
継手部材８ａ，８ｂのフランジ部８１のフランジ面８１１が、配管接続部１４ａ，１４ｂのフランジ部１５ａ，１５ｂの当接面１５１に当接するまで、配管接続部１４ａ，１４ｂを継手部材８ａ，８ｂの凹部８２にしっかり嵌め込む。
【００６７】
配管接続部１４ａ，１４ｂの凸部１６ａ，１６ｂと嵌め合わされた継手部材８ａ，８ｂは、そのフランジ部８１のフランジ面８１１が対面する配管接続部１４ａ，１４ｂのフランジ部１５ａ，１５ｂのフランジ面１５１に当接することにより、継手部材８ａ，８ｂが配管接続部１４ａ，１４ｂの所定位置に正確に取り付けられる。
【００６８】
配管接続部１４ａ，１４ｂ及び継手部材８ａ，８ｂの各フランジ部１５，８１の面同士１５１，８１１が当接した状態で、配管接続部１４ａ，１４ｂ及び継手部材８ａ，８ｂの外周に一体形成されたフランジ部１５，８１の外周にフランジ結合部材９ａ，９ｂを嵌め込んで取り付けることにより、配管接続部１４ａ，１４ｂ及び継手部材８ａ，８ｂがそれぞれ結合される。
【００６９】
図５に示すように、配管接続部１４ａ，１４ｂと結合された継手部材８ａ，８ｂは、配管接続部１４ａ，１４ｂの管軸を回転軸として回動するようになる。
【００７０】
図示するように、配管接続部１４ａ，１４ｂに継手部材８ａ，８ｂを結合させた場合に、継手部材８ａ，８ｂの挿入部８３及び配管８４が配管接続部１４ａ，１４ｂの側方から張り出すような構成であれば、回動運動する継手部材８ａ，８ｂ及び配管８４を妨げる障害物が存在しないため３６０度回動可能な構成となる。
【００７１】
尚、配管接続部１４ａ，１４ｂと結合された継手部材８ａ，８ｂが３６０度回動可能に構成されることが好ましいが、例えば、１８０度範囲内の回動動作或いは９０度範囲内の回動動作などを排除するものではなく、槽外取付部材１に接続される継手部材８に求められる範囲において回動可能に構成されるものであれば特に限定するものではない。
【００７２】
上述したような構成であれば、配管接続部１４（１４ａ，１４ｂ）及び配管８４を接続して、フランジ結合部材９（９ａ，９ｂ）で両者を結合し、当接するフランジ部１５，８１の面同士１５１，８１１を摺動させるだけの単純な構造で、配管８４が回動可能となるように構成することができる。
【００７３】
また、配管接続部１４（１４ａ，１４ｂ）に配管８４が接続された継手部材８（８ａ，８ｂ）を嵌め込み、フランジ結合部材９（９ａ，９ｂ）を取り付けるだけで配管接続部１４及び配管８４を強固に結合させることができるので、浴槽と給湯機とを繋ぐ配管８４及び継手部材８の接続作業が容易になる。
【００７４】
上述では、槽外取付部材１の配管接続部１４の連結部１６が突出した凸部１６からなり、継手部材８の連結部８２が凹んだ形状の凹部８２からなるように説明したが、配管接続部１４の連結部が凹部からなる雌側管となり、継手部材８の連結部が凸部からなる雄側管となる構成であってもよい。
【００７５】
配管接続部１４が雌側管、継手部材８が雄側管である場合であっても、配管接続部１４が雄側管、継手部材８が雌側管の場合と同様の効果を奏することは言うまでもない。
【００７６】
即ち、配管接続部１４或いは継手部材８のいずれか一方には、フランジ部よりも先端側に凸部が形成され、他方には、凸部が内嵌される凹部が先端側開口端部に形成され、凸部の外周面に形成された環状溝１７と、環状溝１７に装着され、凹部の内周面に圧接されるＯリング１８と、を備えるので、凸部が形成される配管接続部１４或いは継手部材８の何れか一方が、凹部に嵌挿されることにより、凹部の内周面が圧接されて高い水密を図ることができる。
【００７７】
以上説明したように、浴槽の側壁Ｗに貫通状態で取り付けられ、浴槽外の給湯機に配管接続される浴槽用給湯口アダプタ１００が、浴槽の側壁Ｗ内面側に取り付けられる雄ねじ部材２が螺合する外筒部１２と、浴槽と給湯機とを繋ぐ配管８４が接続され、外筒部１２へと繋がる流路となる配管接続部１４と、を有する槽外取付部材１を浴槽の側壁Ｗ外面側に備え、配管接続部１４は、接続された配管８４が、槽外取付部材１の管軸に沿って少なくとも真っ直ぐ後方から略直角に曲がる方向との間で回動可能となるように設けられるので、槽外取付部材１の管軸に沿って少なくとも真っ直ぐ後方から略直角に曲がる方向との間で回動可能になるように、配管８４が配管接続部１４に接続されることによって、浴槽と給湯機との位置関係に応じた浴槽用給湯口アダプタ１００を準備しておく必要がなくなり、本発明品のみで様々な位置関係にある浴槽及び給湯機に用いることができ汎用的である。
【００７８】
また、配管８４が回動するように構成されているので、例えば、介護用に用いられる機械式浴槽のように位置が移動する浴槽であっても、浴槽の移動に応じて継手部材８が回動することにより浴槽の移動を妨げるなどすることがなく好適に用いることができる。
【００７９】
以上説明した実施形態は、本発明の一例に過ぎず、本発明の作用効果を奏する範囲において具体的構成などを適宜変更設計できることは言うまでもない。
【符号の説明】
【００８０】
１…槽外取付部材
２…雄ねじ部材
３…仕切り部材
４…フィルター部材
８（８ａ，８ｂ）…継手部材
９…フランジ結合部材（クイックファスナー）
１１…内筒部
１２…外筒部
１４（１４ａ，１４ｂ）…配管接続部
１５（１５ａ，１５ｂ）…フランジ部
１６（１６ａ，１６ｂ）…連結部（凸部）
１７（１７ａ，１７ｂ）…環状溝
１８（１８ａ，１８ｂ）…Ｏリング
８２…連結部（凹部）
８４…配管
１００…浴槽用給湯口アダプタ
１５１…当接する面（当接面、配管接続部のフランジ面）
８１１…継手部材の面（フランジ面）
Ｗ…浴槽側壁
Ｈ…取付孔
【図１】
2014163654.tif 000003
【図２】
2014163654.tif 000004
【図３】
2014163654.tif 000005
【図４】
2014163654.tif 000006
【図５】
2014163654.tif 000007